(57)【要約】      （修正有）【課題】反りの発生を防止させる構成の耐熱性積層プラスチックカード及び当該積層プラスチック構成によるＩＣカードを提供する。【解決手段】カードの表面側及び裏面側にそれぞれの印刷面を有する積層プラスチック型のカードであって、前記カードの表面側印刷面を有する第１白色プラスチック層１１と、前記第１白色プラスチックの表面側印字面の上に積層される第１透明プラスチック層１２と、カードの裏面側印刷面を有する第２白色プラスチック層１４と、前記第２白色プラスチックの裏面側印字面の上に積層される第２透明プラスチック層１５と、前記第１白色プラスチック層と前記第２白色プラスチック層の間にサンドイッチされた第３透明プラスチック層１３と、から構成される。【選択図】図１
0003100854.tif 000002
【実用新案登録請求の範囲】
【請求項１】
　カードの表面側及び裏面側にそれぞれの印刷面を有する積層プラスチック型のカードであって、
　前記カードの表面側印刷面を有する第１白色プラスチック層と、
　前記第１白色プラスチックの表面側印字面の上に積層される第１透明プラスチック層と、
　カードの裏面側印刷面を有する第２白色プラスチック層と、
　前記第２白色プラスチックの裏面側印字面の上に積層される第２透明プラスチック層と、
　前記第１白色プラスチック層と前記第２白色プラスチック層の間にサンドイッチされた第３透明プラスチック層と、
　から構成されたことを特徴とする積層プラスチックカード。
【請求項２】
　前記第１透明プラスチック層又は前記第２透明プラスチック層の所定位置には、磁気テープが付着されていることを特徴とする請求項１に記載の積層プラスチックカード。
【請求項３】
　前記第３透明プラスチック層は、前記第１透明プラスチック層及び前記第２透明プラスチック層と同一の材質により形成されていることを特徴とする請求項１に記載の積層プラスチックカード。
【請求項４】
　前記第１白色プラスチック及び前記第２白色プラスチックは、ポリカーボネート樹脂を主成分とする請求項３に記載の積層プラスチックカード。
【請求項５】
　カードの表面側及び裏面側にそれぞれの印刷面を有する積層プラスチック型のＩＣカードであって、
　前記ＩＣカードの表面側印刷面を有する第１白色プラスチック層と、
　前記第１白色プラスチックの表面側印字面の上に積層される第１透明プラスチック層と、
　カードの裏面側印刷面を有する第２白色プラスチック層と、
　前記第２白色プラスチックの裏面側印字面の上に積層される第２透明プラスチック層と、
　前記第１白色プラスチック層と前記第２白色プラスチック層の間にサンドイッチされた第３透明プラスチック層と、から構成され、
　前記第１白色プラスチック層、前記第３透明プラスチック層及び前記第２白色プラスチック層には切削部が設けられ、当該切削部にはＩＣチップが収納されたことを特徴とするＩＣカード。
【請求項６】
　前記ＩＣカードの表面側には、前記ＩＣチップに接続され外部装置と電気的に接触する接点手段が配設されたことを特徴とする請求項５に記載のＩＣカード。
【請求項７】
　前記第１透明プラスチック層又は前記第２透明プラスチック層の所定位置には、磁気テープが付着されていることを特徴とする請求項５に記載のＩＣカード。
【請求項８】
　前記第３透明プラスチック層は、前記第１透明プラスチック層及び前記第２透明プラスチック層と同一の材質により形成されていることを特徴とする請求項５に記載のＩＣカード。
【請求項９】
　前記第１白色プラスチック及び前記第２白色プラスチックは、ポリカーボネート樹脂を主成分とする請求項８に記載のＩＣカード。
【考案の詳細な説明】
【技術分野】
【０００１】
　本考案は、複数のプラスチック層で構成されたプラスチックカード及びＩＣカードに関し、特に高温環境下に放置されても変形しない耐熱性に優れた積層プラスチックカード及びＩＣカードに関する。
【背景技術】
【０００２】
　従来から、身分証明書、図書カード、診察カード、ポイントカード等として名刺サイズのＩＤカードが利用されている。また、テレフォンカード、クレジットカード、銀行カード又は鉄道等の公共輸送機関の利用者カードとして小容量のデータを磁気的に記録可能な磁気カードが広く使用されてきた。さらに、近年、カード自体に大容量のデータやプログラムを格納可能なＩＣカードが広く利用されるに至っている。ＩＣカードは、外部機器と電気的に直接的に接続される接触型ＩＣカードと、電波を利用して無線接続可能な非接触型ＩＣカードに分類される。
【０００３】
　このように広範に利用されている種々のカードの基材としては、その耐久性の良さから種々のプラスチックが広く用いられている。そして、当該カードの表面側及び裏面側にはそれぞれ文字や記号、写真、ホログラム等の図形が印刷される。
【０００４】
　このようなカードにおいては、通常、カードの基材となる白色プラスチックシート上に印刷を施した後に印刷面を透視可能に保護する透明プラスチックシートを熱融着させる。そして、表面側の印刷を施した第１白色プラスチックに透明プラスチックを熱融着させ、これとは別に裏面側の印刷を施した第２白色プラスチックに透明プラスチックを熱融着させ、これらを背中合わせに接着することにより１枚のカードを製造するようにしている。
【０００５】
　図９は、このような従来の積層プラスチックカードを示す。この従来の積層プラスチックカードは、図９に示すように、カードの表面側を構成する白色プラスチックシート及び透明プラスチックシートと、カードの裏面側を構成する白色プラスチックシート及び透明プラスチックシートが、背中合わせにそのまま接合された構成となっている。
【０００６】
　当該積層プラスチックカードの表面と裏面の両面側にカード所有者のIDコード等のデータを磁気的に記憶するための磁気テープが設けられた磁気カードの例を示すものである。そして、図９に示す磁気カードの例においては、カード表面側の透明プラスチックシート上面にも印刷が施されることにより、カード表面側の磁気テープは隠蔽されて目視できないようになっている。このような隠蔽印刷を施した磁気カードは、印刷が施された表面側の白色プラスチックシートと透明プラスチックシートと表面側磁気テープとを熱プレス工程により融着処理した中間製品の表面側に隠蔽印刷を行い、次に、印刷が施された裏面側の白色プラスチックシートと透明プラスチックシートと熱プレス工程により融着した後、所定サイズに打ち抜いて１枚のカードが製造される。
【０００７】
　上記したように、積層プラスチックにより磁気カードやＩＣカード等の利用分野は極めて広範に及び、例えば高速道路の電子式通行料金徴収システム（ＥＴＣ：Electronic Toll Collection
System）に使用するＩＣカードは、自動車室内における真夏昼間時の高温環境下や真冬夜間時の低温環境下に放置されても熱収縮又は熱膨張が起こらず変形しない耐熱性及び耐寒性が求められている。
【０００８】
　このため、プラスチックカードに利用される耐熱性に優れたカードの材質として、ポリカーボネートと、１，４−シクロヘキサンジメタノール誘導共重合体ポリエステルとのブレンド物からなるプラスチックしーとが提案されている。（特許文献１参照。）。
【０００９】
　また、同様な組成を有するカード材質の一つとして、ポリカーボネートを主成分とするプラスチックシート「ディアフィックス」（商品名、三菱樹脂株式会社製）が供給されている。
【特許文献１】特願平１０−１００３５６号公報
【考案の開示】
【考案が解決しようとする課題】
【００１０】
　しかしながら、このようなポリカーボネートを多く含む耐熱性プラスチック基材は、白色シートの場合と透明シートとでは、その熱収縮率が大きく相違するために、白色プラスチックシートと透明プラスチックシートとを熱融着した中間製品において反りが発生してしまい、表面側の上記隠蔽印刷工程に支障が生じてしまっていた。
【００１１】
　また、このように反りが生じた２つの中間製品であるカード表面側とカード裏面側を背中合わせに接着する熱融着工程における作業性を低下させていた。
【００１２】
　さらに、ＩＣチップ等の薄型電子部品を白色プラスチックシートと透明プラスチックシート間に挟んで熱融着したＩＣカードの場合、上記により生じた反りにより薄型電子部品に機械的ストレスを与え製品の歩留率を低下させる要因にもなっていた。
【００１３】
　本考案は、上記課題に鑑みてなされたものであり、耐熱性に優れた積層プラスチックシカードの製造段階において、反りの発生を防止させることにより透明プラスシート上の印刷を容易にし、またカード表面側とカード裏面側の２つの中間製品を背中合わせに接着する熱融着作業を容易にすると共に、ＩＣチップ等の薄型電子部品を有するＩＣカードの製品歩留率を向上させた構成の積層プラスチックカード及びこの積層プラスチック構成によるＩＣカードを提供することを目的とする。
【課題を解決するための手段】
【００１４】
　上記課題を解決するために、本考案は、カードの表面側及び裏面側にそれぞれの印刷面を有する積層プラスチック型のカードであって、前記カードの表面側印刷面を有する第１白色プラスチック層と、前記第１白色プラスチックの表面側印字面の上に積層される第１透明プラスチック層と、カードの裏面側印刷面を有する第２白色プラスチック層と、前記第２白色プラスチックの裏面側印字面の上に積層される第２透明プラスチック層と、前記第１白色プラスチック層と前記第２白色プラスチック層の間にサンドイッチされた第３透明プラスチック層と、から構成された積層プラスチックカードを提供するものである。
【００１５】
　このように、本考案に係る積層プラスチックカードにおいては、第１白色プラスチック層は、第１透明プラスチック層と第２透明プラスチック層の間にサンドイッチされた対称の構成を有することから、その段階で白色プラスチックと透明プラスチックの熱収縮率の相違による反りが発生することを排除しているのである。
【００１６】
　ここで、前記第３透明プラスチック層は、前記第１透明プラスチック層及び前記第２透明プラスチック層と同一の材質により形成されていることにより、上記反りの発生をより完全に排除することができるのである。
【００１７】
　ところで、前記第１透明プラスチック層又は前記第２透明プラスチック層の所定位置には、磁気テープを付着させることにより本積層プラスチックカードを磁気カードとして使用することが可能である。
【００１８】
　なお、前記第１白色プラスチック及び前記第２白色プラスチックは、ポリカーボネート樹脂を主成分とした耐熱性に優れた本積層プラスチックカードである。
【００１９】
　本考案は、さらに、カードの表面側及び裏面側にそれぞれの印刷面を有する積層プラスチック型のＩＣカードであって、前記ＩＣカードの表面側印刷面を有する第１白色プラスチック層と、前記第１白色プラスチックの表面側印字面の上に積層される第１透明プラスチック層と、カードの裏面側印刷面を有する第２白色プラスチック層と、前記第２白色プラスチックの裏面側印字面の上に積層される第２透明プラスチック層と、前記第１白色プラスチック層と前記第２白色プラスチック層の間にサンドイッチされた第３透明プラスチック層と、から構成され、前記第１白色プラスチック層、前記第３透明プラスチック層及び前記第２白色プラスチック層には切削部が設けられ、当該切削部にはＩＣチップが収納されたことを特徴とするＩＣカードを提供するものである。
【００２０】
　ここで、前記ＩＣカードの表面側には、前記ＩＣチップに接続され外部装置と電気的に接触する接点手段が配設されたことを特徴とする。
【００２１】
　また、前記第１透明プラスチック層又は前記第２透明プラスチック層の所定位置には、磁気テープが付着されていることにより、磁気カードとしての利用も可能としている。
【考案の効果】
【００２２】
　本考案に係る積層プラスチックカードは、第１白色プラスチック層が、第１透明プラスチック層と第２透明プラスチック層の間にサンドイッチされた対称の構成を有することから、その段階で白色プラスチックと透明プラスチックの熱収縮率の相違による反りの発生を抑制し、これによって表面側の透明プラスシート上の印刷を容易にし、またカード表面側とカード裏面側の２つの中間製品を背中合わせに接着する熱融着作業を容易にすると共に、ＩＣチップ等の薄型電子部品を有するＩＣカードの製品歩留率を向上させることを実現したのである。
【考案を実施するための最良の形態】
【００２３】
　以下、本考案に係る積層プラスチックカード及びこの積層プラスチックの構成によるＩＣカードの実施の形態について、図面を参照しつつ詳細に説明する。
【００２４】
　図１は、本考案に係る積層プラスチックカード１０の構成を示す断面図である。本積層プラスチックカード１０の表面側（図１の上側）から、第１透明プラスチック層１２、第１白色プラスチック層１１、第３透明プラスチック層１３、第２白色プラスチック層１４及び第２透明プラスチック層１２の５層のプラスチック層から構成されている。
【００２５】
　ここで、第１白色プラスチック層１１の表面側（図１の上側）にはカードの表面印刷１６が施されている。そして、第２白色プラスチック層１４の裏面側（図１の下側側）にはカードの裏面印刷１７が施されている。また、本積層プラスチックカード１０を磁気カードとして使用する場合には、第１透明プラスチック層１２上に第１磁気テープ１９ａが貼付されている。
【００２６】
　そして、この第１磁気テープ１９ａを隠蔽する場合は、第１透明プラスチック層１２の表面に隠蔽印刷１８を施すこととなる。本積層プラスチックカードの裏面側には、第２磁気テープ１９ｂが貼付される。
【００２７】
　本積層プラスチックは、表面側中間部材（第１中間製品）として第１白色プラスチック層１１が第１透明プラスチック層１２と第３透明プラスチック層１３とにサンドイッチされた状態で形成され、この第１中間製品に、第２透明プラスチック層１２が裏面側に融着された第２白色プラスチック層１４（第２中間製品）が熱融着されることにより、製造工程における中間製品としても更には最終製品としてもシート若しくはカードの反りの発生を防止しているのである。
【００２８】
　透明プラスチック１２、１３、１５の素材としては、耐熱性に優れたポリカーボネート樹脂を主成分とするものを使用する。また、この透明プラスチック１２、１３、１５の厚さは、０．０５ミリメートルである。耐熱性に優れたポリカーボネート樹脂を主成分とする透明プラスチックの例としては、三菱樹脂株式会社製の「ディアフィックス」（商品面）である。同様に、白色プラスチック１１、１４の素材としては、耐熱性に優れたポリカーボネート樹脂を主成分とするものを使用する。また、この白色プラスチック１１、１４の厚さは、０．３５又は０．３６ミリメートルである。ここでは、この白色プラスチック１１、１４として、三菱樹脂株式会社製の「白色ディアフィックス」（商品面）を使用した。
【００２９】
　但し、本考案に係る積層プラスチックカードにおいては、透明プラスチック１２、１３、１５及び白色プラスチック１１、１４の素材としてこれに限定されるものではなく、特許文献１に開示されている部材等、塩化ビニル樹脂（ＰＶＣ）、非結晶ポリエステル樹脂（ＰＥＴ−Ｇ）、ポリカーボネート樹脂等熱融着が可能な樹脂シート（フィルム）であれば良い。
【００３０】
　図２は、図１に示した積層プラスチックカード１０を磁気カードと使用した場合の例を示すものである。
【００３１】
　図２は、本考案に係る積層プラスチックカードを磁気カードとした場合の例を示すものである。ここで、図２（ａ）は本磁気カードの斜視図を、図２（ｂ）はその表面図を、図２（ｃ）はその裏面図をそれぞれ示す。
【００３２】
　図２（ａ）及び（ｂ）に示す第１磁気テープ１９ａは、第１透明プラスチック層１２の表面に隠蔽印刷１８（図１に示す）を施すことにより外部から目視できないようにすることが可能である。そして、図２（ｃ）に示すように本磁気カードの裏面側には、第２磁気テープ１９ｂが目視可能な状態で貼付されている。
【００３３】
　図３は、本考案に係る積層プラスチックカードをＩＣカードとした場合の例を示すものである。ここで、図３（ａ）は、本ＩＣカードの斜視図を、図３（ｂ）はその表面図を、図３（ｃ）はその裏面図をそれぞれ示す。
【００３４】
　図３（ａ）及び（ｂ）に示すように、ＩＣカード１０の表面側には、ＩＣカード１０が外部装置（ＩＣカード読取／書込装置）と電気的に接触する接点手段（コネクタ）が装着されている。図３に示した接点手段（コネクタ）は、８つの接点素子により構成されている。接点素子には、供給電源端子、接地端子、クロック信号端子、リセット信号端子、データ入出力端子、プログラム供給端子等が含まれる。
【００３５】
　さらに、本ＩＣカードは磁気カードとしても兼用される場合には、本ＩＣカード１０の表面側に第１磁気テープ１９ａが貼付される。そして、図２に示した磁気カードと同様、この第１磁気テープ１９ａは、第１透明プラスチック層１２の表面に隠蔽印刷１８（図１に示す）を施すことにより外部から目視できないようにすることが可能である。そして、図３（ｃ）に示すように本ＩＣカードの裏面側には、第２磁気テープ１９ｂが目視可能な状態で貼付されている。
【００３６】
　図４は、図３で示したＩＣカードの断面図を示す。図１に示す積層プラスチックカードが形成された後、カード内には切削部が形成され、当該切欠部にＩＣチップ２０が埋め込まれることとなる。そして、当該ＩＣチップ２０の上にはＩＣチップの入出力端子を外部装置（ＩＣカード読取／書込装置）に電気的に接続する接点手段（コネクタ）が装着されている。
【００３７】
　図５乃至８は、本考案に係る積層プラスチックシート及びＩＣカードの製造方法を説明するためのフローチャートを示す。
【００３８】
　図５は、表面側プラスチック積層シート（第１中間製品）の製造工程を示すものである。
最初に、第１白色プラスチックシート上にカード表面側の印刷を行い（Ｓ１１）、次に、第１透明プラスチック上に第１磁気テープ１９ａを貼付し（Ｓ１２）、最後に、第１白色プラスチック、第１透明プラスチック及び第３透明プラスチックの熱融着を行う（Ｓ１３）ことにより表面側プラスチック積層シート（第１中間製品）の製造を完了する（Ｓ１４）。
【００３９】
　このように、本考案に係る積層プラスチックカード１０においては、第１白色プラスチック層１１は、第１透明プラスチック層１２と第３透明プラスチック層１３の間にサンドイッチされた対称の構成を有することから、その段階で白色プラスチックと透明プラスチックの熱収縮率の相違による反りが発生することを排除しているのである。
【００４０】
　ここで、前記第３透明プラスチック層は、前記第１透明プラスチック層及び前記第２透明プラスチック層と同一の材質により形成されていることにより、上記反りの発生をより完全に排除することができるのである。
【００４１】
　図６は、裏面側プラスチック積層シート（第２中間製品）の製造工程を示すものである。
最初に、第２白色プラスチックシート上にカード裏面側の印刷を行い（Ｓ１５）、次に、第２透明プラスチック上の第２磁気テープ１９ｂを貼付し（Ｓ１６）、最後に、第２白色プラスチックと第２透明プラスチックとの熱融着を行う（１７）ことにより裏面側プラスチック積層シート（第２中間製品）の製造を完了する（Ｓ１８）。
【００４２】
　図７は、本積層プラスチックカード１０を磁気カードに適用した場合の製造工程を示す。
表面側プラスチック積層シート（第１中間製品）の製造工程（Ｓ１１乃至１３）は、図５に示したとおりである。また、裏面側プラスチック積層シート（第２中間製品）の製造工程（Ｓ１５乃至１７）は、図６に示したとおりである。
【００４３】
　次に、このようにして製造された表面側プラスチック積層シート（第１中間製品）と、裏面側プラスチック積層シート（第２中間製品）は、熱プレス処理されることにより接合される（Ｓ１８）。次に、このようにして接合された５層の積層プラスチックは、さらに熱処理される（Ｓ１９）。この熱処理工程によって、５層の積層プラスチックがその後９０℃以下の環境下に曝された時に生じる熱収縮を予め取り去ることを可能にしている。この熱処理は、６０〜１５０℃の温度範囲で１時間程度行われるが、最適の温度範囲は略９０℃である。
【００４４】
　そして、常温環境下での冷却処理（放熱）を少なくとも６時間以上行い（Ｓ２０）、最後に、所定のカードサイズに抜き打つ（Ｓ２１）ことにより、本積層プラスチックカード（磁気カード）の製造は終了する（Ｓ２２）。
【００４５】
　図８は、本積層プラスチックカード１０をＩＣカード（接触型ＩＣカード）に適用した場合の製造工程を示す。
【００４６】
　表面側プラスチック積層シート（第１中間製品）の製造工程（Ｓ１１乃至１３）は、図５に示したとおりである。また、裏面側プラスチック積層シート（第２中間製品）の製造工程（Ｓ１５乃至１７）は、図６に示したとおりである。
【００４７】
　また、その後のカードの抜き打ち工程までの種々の工程（Ｓ１８、Ｓ１９、Ｓ２０及びＳ２１）も、図7と同様である。
【００４８】
　本積層プラスチックカード１０をＩＣカード（接触型ＩＣカード）に適用する場合、この後、図4に示すように、カードの所定箇所をミリングにより切削し（Ｓ２３）、この切削部分にＩＣチップを埋め込み（Ｓ２４）、その上部に接点手段（コネクタ）の装着を行い（Ｓ２５）、本ＩＣカードの製造が終了する（Ｓ２６）。
【００４９】
　以上、本考案の積層プラスチックカードを、磁気カード及び接触型ＩＣカードに適用した例について詳細に説明したが、本考案は、この他の形態のＩＤカードにも適用可能であることは言うまでもない。
【産業上の利用可能性】
【００５０】
　本考案は、ＩＤカード等の耐熱性に優れた積層プラスチックカード、磁気カード及びＩＣカードに関するものであることから産業上の利用可能性を有する。
【図面の簡単な説明】
【００５１】
【図１】本考案に係る積層プラスチックカード１０の構成を示す断面図である。
【図２】本考案に係る積層プラスチックカードを磁気カードとした場合の例を示す。
【図３】本考案に係る積層プラスチックカードをＩＣカードとした場合の例を示す
【図４】図３で示したＩＣカードの断面図を示す。
【図５】表面側プラスチック積層シート（第１中間製品）の製造工程を示す。
【図６】裏面側プラスチック積層シート（第２中間製品）の製造工程を示す
【図７】本積層プラスチックカード１０を磁気カードに適用した場合の製造工程を示す。
【図８】本積層プラスチックカード１０をＩＣカード（接触型ＩＣカード）に適用した場合の製造工程を示す。
【図９】従来の積層プラスチックカードの構成を示す。
【符号の説明】
【００５２】
　　　１０　本考案に係る積層プラスチックカード（ＩＣカード）
　　　１１　第１白色プラスチック層
　　　１２　第１透明プラスチック層
　　　１３　第３透明プラスチック層
　　　１４　第２白色プラスチック層
　　　１５　第２透明プラスチック層
　　　１６　表面側印刷
　　　１７　裏面側印刷
　　　１８　隠蔽印刷
　　　１９ａ　第１磁気テープ
　　　１９ｂ　第２磁気テープ
　　　２０　ＩＣチップ
　　　２１　接点手段（コネクタ）
【図１】
0003100854.tif 000003
【図２】
0003100854.tif 000004
【図３】
0003100854.tif 000005
【図４】
0003100854.tif 000006
【図５】
0003100854.tif 000007
【図６】
0003100854.tif 000008
【図７】
0003100854.tif 000009
【図８】
0003100854.tif 000010
【図９】
0003100854.tif 000011